(57)【要約】  基地局装置（１００）は、無線制御装置（１１０）と無線装置（１２０）とを備える基地局装置（１００）であって、前記無線制御装置（１１０）は、サービスを利用する端末装置からの要求に従って、前記サービスに対応するセッションの確立を上位装置（１２、１３）へ要求する要求部（１１１）と、セッション確立時に、前記サービスに要求されるサービス品質又は通信条件に応じて、前記無線制御装置（１１０）と前記無線装置（１２０）との間の接続を制御する接続制御部（１１５）とを有する。
2019087395.tif 000002
【特許請求の範囲】
【請求項１】
無線制御装置と無線装置とを備える基地局装置であって、
前記無線制御装置は、
サービスを利用する端末装置からの要求に従って、前記サービスに対応するセッションの確立を上位装置へ要求する要求部と、
セッション確立時に、前記サービスに要求されるサービス品質又は通信条件に応じて、前記無線制御装置と前記無線装置との間の接続を制御する接続制御部とを有する
ことを特徴とする基地局装置。
【請求項２】
前記無線装置は、
自装置の機能に関する機能情報を生成する生成部を有し、
前記無線制御装置は、
前記生成部によって生成された機能情報を取得する取得部をさらに有し、
前記接続制御部は、
前記取得部によって取得された機能情報に基づいて、前記無線制御装置と前記無線装置との間の接続を制御する
ことを特徴とする請求項１記載の基地局装置。
【請求項３】
前記接続制御部は、
前記無線制御装置と前記無線装置との間の接続に関する情報を前記上位装置へ通知することを特徴とする請求項１記載の基地局装置。
【請求項４】
前記要求部は、
前記端末装置が他のサービスを利用する場合に、前記他のサービスに対応するセッションの確立を前記上位装置へ要求し、
前記接続制御部は、
前記他のサービスに対応するセッション確立時に、前記他のサービスに要求されるサービス品質又は通信条件に応じて、前記無線制御装置と前記無線装置との間の接続を追加する
ことを特徴とする請求項１記載の基地局装置。
【請求項５】
前記接続制御部は、
前記無線制御装置が制御情報を処理する第１の処理部とユーザデータを処理する第２の処理部とに分離している場合、前記第１の処理部と前記無線装置との間の接続、前記第２の処理部と前記無線装置との間の接続、及び前記第１の処理部と前記第２の処理部との間の接続を制御することを特徴とする請求項１記載の基地局装置。
【請求項６】
前記無線制御装置は、
第１のレイヤの処理を実行する第１レイヤ処理部と、
前記第１のレイヤよりも下位の第２のレイヤの処理を実行する第２レイヤ処理部とをさらに有し、
前記無線装置は、
前記第１のレイヤよりも下位の第３のレイヤの処理を実行する第３レイヤ処理部と、
前記第２のレイヤよりも下位の第４のレイヤの処理を実行する第４レイヤ処理部とを有し、
前記接続制御部は、
前記第１レイヤ処理部と前記第３レイヤ処理部とを接続するか、前記第２レイヤ処理部と前記第４レイヤ処理部とを接続するかを選択する
ことを特徴とする請求項１記載の基地局装置。
【請求項７】
サービスを利用する場合に、前記サービスに要求されるサービス品質又は通信条件を示すセッション要求を生成し、当該セッション要求を無線装置へ送信する生成部と、
前記無線装置と無線制御装置とを備える基地局装置であって、前記セッション要求に応じたセッション確立時に前記無線制御装置と前記無線装置との間の接続を制御する基地局装置との間でユーザデータを送受信する送受信部と
を有することを特徴とする端末装置。
【請求項８】
端末装置と、基地局装置と、上位装置とを有する無線通信システムであって、
前記基地局装置は、無線制御装置と無線装置とを備え、
前記無線制御装置は、
サービスを利用する前記端末装置からの要求に従って、前記サービスに対応するセッションの確立を前記上位装置へ要求する要求部と、
セッション確立時に、前記サービスに要求されるサービス品質又は通信条件に応じて、前記無線制御装置と前記無線装置との間の接続を制御する接続制御部とを有する
ことを特徴とする無線通信システム。
【請求項９】
無線制御装置と無線装置とを備える基地局装置の前記無線制御装置が実行する接続設定方法であって、
サービスを利用する端末装置からの要求に従って、前記サービスに対応するセッションの確立を上位装置へ要求し、
セッション確立時に、前記サービスに要求されるサービス品質又は通信条件に応じて、前記無線制御装置と前記無線装置との間の接続を制御する
処理を有することを特徴とする接続設定方法。
【発明の詳細な説明】
【技術分野】
【０００１】
本発明は、基地局装置、端末装置、無線通信システム及び接続設定方法に関する。
【背景技術】
【０００２】
近年、無線通信システムに設けられる基地局装置が例えばＢＢＵ（Base  Band  Unit）などの無線制御装置と例えばＲＲＨ（Remote  Radio  Head）などの無線装置とに分離され、無線制御装置と無線装置とが例えばＣＰＲＩ（Common  Public  Radio  Interface）などのインタフェースによって接続されることがある。また、３ＧＰＰでは、基地局装置を種々の制御をする無線制御装置であるＣＵ（Central  Unit）と、信号の無線送受信をする無線装置であるＤＵ（Distributed  Unit）とに分離し、ＣＵとＤＵをＦ１インタフェースによって接続することが検討されている。【０００３】
このように基地局装置の機能分離をすることにより、例えば１つのＣＵに複数のＤＵを接続し、ＤＵを分散配置することで、低コストで広大なエリアをカバーする無線通信システムを構築することが可能となる。【０００４】
ところで、一般に基地局装置の機能は、上位レイヤから順にＰＤＣＰ（Packet  Data  Convergence  Protocol）層、ＲＬＣ（Radio  Link  Control）層、ＭＡＣ（Media  Access  Control）層及び物理層の処理を含む。そして、３ＧＰＰで検討中の第５世代（５Ｇ）無線通信システムでは、ユーザプレーン（Ｕプレーン）の機能に、ＰＤＣＰ層の上位レイヤであるＳＤＡＰ（Service  Data  Adaptation  Protocol）層の処理を導入することが議論されている。【０００５】
基地局装置をＣＵ及びＤＵに機能分離する際には、ＰＤＣＰ層とＲＬＣ層との間で分離するＨＬＳ（High  Layer  Split）と、ＭＡＣ層と物理層との間又は物理層を２つに分けて分離するＬＬＳ（Low  Layer  Split）とが検討されている。
【先行技術文献】
【特許文献】
【０００６】
【特許文献１】特表２０１７−５１０１５７号公報
【非特許文献】
【０００７】
【非特許文献１】3GPP  TR  38.801  V14.0.0  (2017-03)
【非特許文献２】3GPP  TR  38.912  V14.0.0  (2017-03)
【発明の概要】
【発明が解決しようとする課題】
【０００８】
基地局装置をＣＵ及びＤＵに機能分離するにあたっては、要求されるサービス品質や通信条件に適した機能分離をするのが好ましい。例えば、ＵＲＬＬＣ（Ultra-Reliable  and  Low  Latency  Communications）などのように低遅延が要求されるサービスにおいては、データの再送制御に関わるＲＬＣ層及びＭＡＣ層が各ＤＵに実装されるＨＬＳが好ましい。これは、個々のＤＵにおいて再送制御が可能となることで、高速にデータを再送することができ、低遅延を達成しやすいからである。【０００９】
一方で、各ＤＵには物理層のみが実装されるＬＬＳを採用することで、ＤＵの生産コストを低減することができ、無線通信システムの低コスト化を図ることができる。このように、より上位レイヤをＦ１インタフェースで接続するＨＬＳと、より下位レイヤをＦ１インタフェースで接続するＬＬＳとでは一長一短があるため、１つの無線通信システムにＨＬＳ及びＬＬＳによる機能分離が混在することが考えられる。さらに、物理層の上位層と下位層との分離点が異なる複数のＬＬＳによる機能分離が混在することも考えられる。【００１０】
しかしながら、ＨＬＳ及びＬＬＳが混在する無線通信システムや複数のＬＬＳが混在する無線通信システムにおいて、ＣＵ及びＤＵを接続するＦ１インタフェースを設定する方法については、検討された例がない。このため、ＣＵ及びＤＵの間のインタフェースの設定が困難であるという問題がある。【００１１】
開示の技術は、かかる点に鑑みてなされたものであって、無線制御装置と無線装置を接続する最適なインタフェースを設定することができる基地局装置、端末装置、無線通信システム及び接続設定方法を提供することを目的とする。
【課題を解決するための手段】
【００１２】
本願が開示する基地局装置は、１つの態様において、無線制御装置と無線装置とを備える基地局装置であって、前記無線制御装置は、サービスを利用する端末装置からの要求に従って、前記サービスに対応するセッションの確立を上位装置へ要求する要求部と、セッション確立時に、前記サービスに要求されるサービス品質又は通信条件に応じて、前記無線制御装置と前記無線装置との間の接続を制御する接続制御部とを有する。
【発明の効果】
【００１３】
本願が開示する基地局装置、端末装置、無線通信システム及び接続設定方法の１つの態様によれば、無線制御装置と無線装置を接続する最適なインタフェースを設定することができるという効果を奏する。
【図面の簡単な説明】
【００１４】
【図１】図１は、無線通信システムの構成の一例を示す図である。
【図２】図２は、実施の形態１に係る基地局装置の構成を示すブロック図である。
【図３】図３は、機能情報の具体例を示す図である。
【図４】図４は、機能情報の他の具体例を示す図である。
【図５】図５は、実施の形態１に係る基地局装置の他の構成を示すブロック図である。
【図６】図６は、実施の形態１に係る端末装置の構成を示すブロック図である。
【図７】図７は、実施の形態１に係るインタフェース設定方法を示すシーケンス図である。
【図８】図８は、実施の形態１に係る基地局装置のさらに他の構成を示すブロック図である。
【図９】図９は、実施の形態１に係る基地局装置のさらに他の構成を示すブロック図である。
【図１０】図１０は、実施の形態１に係る他のインタフェース設定方法を示すシーケンス図である。
【図１１】図１１は、実施の形態２に係るインタフェース設定方法を示すシーケンス図である。
【図１２】図１２は、実施の形態３に係る基地局装置の構成を示すブロック図である。
【図１３】図１３は、実施の形態３に係る基地局装置の他の構成を示すブロック図である。
【図１４】図１４は、実施の形態３に係るインタフェース設定方法を示すシーケンス図である。
【図１５】図１５は、実施の形態４に係る基地局装置の構成を示すブロック図である。
【図１６】図１６は、実施の形態４に係るインタフェース設定方法を示すシーケンス図である。
【発明を実施するための形態】
【００１５】
以下、本願が開示する基地局装置、端末装置、無線通信システム及び接続設定方法の実施の形態について、図面を参照して詳細に説明する。なお、この実施の形態により本発明が限定されるものではない。
【００１６】
（実施の形態１）
図１は、無線通信システムの構成の一例を示す図である。図１に示す無線通信システムにおいては、コアネットワークに基地局装置１００が接続されており、基地局装置１００と端末装置（ＵＥ：User  Equipment）２００とが無線通信する。
【００１７】
コアネットワークには、ＵＰＦ（User  Plane  Function）１１、ＡＭＦ（Access  and  Mobility  Management  Function）１２、ＳＭＦ（Session  Management  Function）１３、ＰＣＦ（Policy  Control  Function）１４、ＡＵＳＦ（Authentication  Server  Function）１５及びＵＤＭ（Unified  Data  Management）１６が配置される。
【００１８】
ＵＰＦ１１は、ユーザプレーンを制御する装置であり、ユーザデータのルーティングや転送を実行する。ＡＭＦ１２は、コントロールプレーンを制御する装置であり、無線アクセスネットワーク（ＲＡＮ：Radio  Access  Network）におけるコントロールプレーンを終端する。ＳＭＦ１３は、セッション管理をする。ＰＣＦ１４は、コントロールプレーンに関するポリシールールなどを提供する。ＡＵＳＦ１５は、ＵＥ２００の認証処理をする。ＵＤＭ１６は、加入者情報などを記憶する。
【００１９】
基地局装置１００は、コアネットワークのＵＰＦ１１及びＡＭＦ１２に接続されるとともに、ＵＥ２００との間で無線通信する。基地局装置１００は、無線通信を制御する無線制御装置であるＣＵと無線通信を実行する無線装置であるＤＵとに機能分離されている。そして、無線制御装置であるＣＵがＵＰＦ１１及びＡＭＦ１２に接続され、無線装置であるＤＵがＵＥ２００と無線通信する。なお、基地局装置１００は、必ずしも無線制御装置及び無線装置を１つずつ有する構成でなくても良く、複数の無線制御装置又は複数の無線装置を有する構成でも良い。また、基地局装置１００を構成する無線制御装置と無線装置は、互いに遠隔地に配置されても良い。無線制御装置と無線装置とは、例えばＦ１インタフェースなどのインタフェースによって接続される。
【００２０】
図２は、実施の形態１に係る基地局装置１００の構成を示すブロック図である。図２に示す基地局装置１００は、ＣＵに相当する無線制御装置１１０と、ＤＵに相当する無線装置１２０とを有する。
【００２１】
無線制御装置１１０は、コアネットワークのＵＰＦ１１及びＡＭＦ１２に接続され、無線装置１２０による無線通信を制御する。具体的には、無線制御装置１１０は、ＰＤＣＰ処理部１１１、ＲＬＣ処理部１１２、ＭＡＣ処理部１１３、機能情報取得部１１４、インタフェース制御部（以下「ＩＦ制御部」と略記する）１１５及び切替部１１６を有する。
【００２２】
ＰＤＣＰ処理部１１１は、例えばデータの順序整列やヘッダ圧縮などのＰＤＣＰ層の処理を実行する。すなわち、ＰＤＣＰ処理部１１１は、ＵＰＦ１１又はＡＭＦ１２から取得した送信信号に対してＰＤＣＰ層の処理を実行し、切替部１１６を介して送信信号をＲＬＣ処理部１１２又は無線装置１２０へ出力する。また、ＰＤＣＰ処理部１１１は、無線装置１２０又はＲＬＣ処理部１１２から切替部１１６を介して受信信号を取得し、受信信号に対してＰＤＣＰ層の処理を実行する。
【００２３】
ＲＬＣ処理部１１２は、例えば再送制御などのＲＬＣ層の処理を実行する。すなわち、ＲＬＣ処理部１１２は、ＰＤＣＰ処理部１１１から切替部１１６を介して送信信号を取得し、送信信号に対してＲＬＣ層の処理を実行する。また、ＲＬＣ処理部１１２は、ＭＡＣ処理部１１３から受信信号を取得し、受信信号に対してＲＬＣ層の処理を実行する。
【００２４】
ＭＡＣ処理部１１３は、例えばスケジューリング及び再送制御などのＭＡＣ層の処理を実行する。すなわち、ＭＡＣ処理部１１３は、ＲＬＣ処理部１１２から送信信号を取得し、送信信号に対してＭＡＣ層の処理を実行する。また、ＭＡＣ処理部１１３は、無線装置１２０から受信信号を取得し、受信信号に対してＭＡＣ層の処理を実行する。
【００２５】
機能情報取得部１１４は、無線制御装置１１０に接続された無線装置１２０から、無線装置１２０の機能を示す機能情報を取得する。具体的には、機能情報取得部１１４は、無線装置１２０が設定可能なインタフェースの種別や無線装置１２０が対応するサービスの種類などを示す機能情報を取得する。
【００２６】
図３は、機能情報の具体例を示す図である。図３の上図は、設定可能なインタフェースの種別を示す機能情報の例である。図３の上図に示す機能情報には、カテゴリ「０」からカテゴリ「６」までの７通りがあり、それぞれのカテゴリでは、無線装置１２０が、ＨＬＳ（High  Layer  Split）に対応可能か否か、ＬＬＳ（Low  Layer  Split）に対応可能か否か、ＣＰＲＩに対応可能か否かが示されている。
【００２７】
例えば無線装置１２０がＲＬＣ処理部、ＭＡＣ処理部及び物理層処理部を有していれば、無線制御装置１１０のＰＤＣＰ処理部１１１と無線装置１２０のＲＬＣ処理部との間にインタフェースを設定するＨＬＳが可能である。また、無線装置１２０が物理層処理部を有していれば、無線制御装置１１０のＭＡＣ処理部１１３と無線装置１２０の物理層処理部との間にインタフェースを設定するＬＬＳが可能である。例えばカテゴリ「０」の機能情報においては、無線装置１２０がＨＬＳに対応可能であることが「１」で示され、無線装置１２０がＬＬＳ及びＣＰＲＩに対応可能ではないことが「０」で示されている。
【００２８】
図３の中図は、対応するサービスの種類を示す機能情報の例である。図３の中図に示す機能情報には、カテゴリ「ａ」からカテゴリ「ｇ」までの７通りがあり、それぞれのカテゴリでは、無線装置１２０が、ｅＭＢＢ（enhanced  Mobile  BroadBand）に対応可能か否か、ＵＲＬＬＣ（Ultra-Reliable  and  Low  Latency  Communications）に対応可能か否か、ｍＭＴＣ（massive  Machine  Type  Communications）に対応可能か否かが示されている。例えばカテゴリ「ａ」の機能情報においては、無線装置１２０がｅＭＢＢに対応可能であることが「１」で示され、無線装置１２０がＵＲＬＬＣ及びｍＭＴＣに対応可能ではないことが「０」で示されている。
【００２９】
図３の下図は、無線装置１２０がコントロールプレーン（Ｃプレーン）及びユーザプレーン（Ｕプレーン）への分離に対応するか否かを示す機能情報の例である。図３の下図に示す機能情報には、カテゴリ「Ａ」からカテゴリ「Ｄ」までの４通りがあり、それぞれのカテゴリでは、無線装置１２０が、ＣＵに相当する無線制御装置として機能しＣプレーン及びＵプレーンへの分離が可能であるか否か、ＤＵに相当する無線装置として機能しＣプレーン及びＵプレーンへの分離が可能であるか否かが示されている。
【００３０】
例えば無線装置１２０がＰＤＣＰ処理部、ＲＬＣ処理部、ＭＡＣ処理部及び物理層処理部を有していれば、無線装置１２０は、ＣＵに相当する無線制御装置として機能することが可能である。さらに、無線装置１２０がＣプレーンとＵプレーンの間のインタフェースを設定可能であれば、無線装置１２０は、Ｃプレーン及びＵプレーンへの分離が可能である。例えばカテゴリ「Ｂ」の機能情報においては、無線装置１２０が無線制御装置（ＣＵ）として機能した場合にＣプレーン及びＵプレーンへの分離に対応可能であることが「１」で示され、無線装置１２０が無線装置（ＤＵ）として機能した場合にＣプレーン及びＵプレーンへの分離に対応可能ではないことが「０」で示されている。
【００３１】
機能情報取得部１１４は、図３の上図、中図及び下図に示す機能情報の少なくとも１種類を、無線制御装置１１０に接続する無線装置１２０から取得する。このとき、機能情報取得部１１４は、各無線装置１２０に対して機能情報の送信を要求して機能情報を取得しても良いし、各無線装置１２０が例えば起動時などの所定のタイミングで報知する機能情報を取得しても良い。
【００３２】
なお、機能情報は、図３の上図、中図及び下図に示すものに限定されない。例えば、図３の上図に加えて、さらに異なるインタフェースの種別について設定可能か否かが機能情報によって示されても良い。具体的には、例えば図４に示すように、カテゴリ「０」からカテゴリ「３０」までのそれぞれのカテゴリでは、無線装置１２０が、ＨＬＳに対応可能か否か、ＣＰＲＩに対応可能か否かが示されるとともに、物理層の分離点が異なるＬＬＳ１及びＬＬＳ２にそれぞれ対応可能か否かが示され、ＣＰＲＩの他にｅＣＰＲＩ（enhanced Common Public radio Interface）に対応可能か否かが示される。その他にも、物理層の分離点が異なるｅＣＰＲＩ１及びｅＣＰＲＩ２にそれぞれ対応可能か否かが示されたり、ＩＥＥＥ（Institute of Electrical and Electronics Engineers）１９１４に準拠するインタフェースに対応するか否かが示されたりしても良い。
【００３３】
図２に戻って、ＩＦ制御部１１５は、無線制御装置１１０と無線装置１２０の間のインタフェースを制御する。具体的には、ＩＦ制御部１１５は、ＵＥ２００からのセッション設定要求に応じて、サービスに対応するセッションが設定される際に、無線制御装置１１０及び無線装置１２０の間のインタフェースを設定する。このとき、ＩＦ制御部１１５は、設定されるセッションにおいて要求されるサービス品質や通信条件に適したインタフェースを設定する。すなわち、ＩＦ制御部１１５は、設定されるセッションにＨＬＳが適している場合には、ＰＤＣＰ処理部１１１と無線装置１２０を接続するインタフェースを設定する。一方、ＩＦ制御部１１５は、設定されるセッションにＬＬＳが適している場合には、ＭＡＣ処理部１１３と無線装置１２０を接続するインタフェースを設定する。ＩＦ制御部１１５によるインタフェースの設定は、切替部１１６による接続先の切り替えによって実行される。
【００３４】
切替部１１６は、ＰＤＣＰ処理部１１１とＲＬＣ処理部１１２を接続するか、ＰＤＣＰ処理部と無線装置１２０を接続するかを切り替える。すなわち、切替部１１６は、ＩＦ制御部１１５による制御に従って、ＰＤＣＰ処理部１１１とＲＬＣ処理部１１２を接続して、ＭＡＣ処理部１１３と無線装置１２０の間にインタフェースを設定するか、ＰＤＣＰ処理部１１１と無線装置１２０の間にインタフェースを設定するかを切り替える。切替部１１６がＰＤＣＰ処理部１１１とＲＬＣ処理部１１２を接続する場合には、ＭＡＣ処理部１１３と無線装置１２０の間にインタフェースが設定されることから、ＬＬＳによる機能分離がされたことになる。一方、切替部１１６がＰＤＣＰ処理部１１１と無線装置１２０の間にインタフェースを設定する場合には、ＨＬＳによる機能分離がされたことになる。
【００３５】
無線装置１２０は、送信信号を無線送信処理してＵＥ２００へ送信し、ＵＥ２００から送信された信号を受信して受信信号を無線受信処理する。具体的には、無線装置１２０は、物理層処理部１２１及び機能情報生成部１２２を有する。
【００３６】
物理層処理部１２１は、例えば信号のＤ／Ａ（Digital/Analog）変換及びＡ／Ｄ（Analog/Digital）変換や増幅などの物理層の処理を実行する。すなわち、物理層処理部１２１は、無線制御装置１１０のＭＡＣ処理部１１３から送信信号を取得し、送信信号に対して物理層の処理を実行し、アンテナを介してＵＥ２００へ送信する。また、物理層処理部１２１は、ＵＥ２００から送信された信号をアンテナを介して受信し、受信信号に対して物理層の処理を実行する。
【００３７】
機能情報生成部１２２は、無線装置１２０の機能情報を生成し、無線装置１２０に接続された無線制御装置１１０へ送信する。なお、機能情報生成部１２２は、無線制御装置１１０から要求された場合に機能情報を生成して送信しても良いし、無線装置１２０の起動時などの所定のタイミングで機能情報を生成して報知しても良い。
【００３８】
図２においては、無線装置１２０が物理層処理部１２１及び機能情報生成部１２２を有し、ＭＡＣ処理部１１３と物理層処理部１２１の間にインタフェースが設定されるＬＬＳの機能分離が図示されている。しかしながら、無線装置１２０は、より上位のレイヤの処理部を有していても良く、そのような無線装置１２０と無線制御装置１１０との間では、ＨＬＳの機能分離も可能となる。図５は、ＨＬＳによる機能分離がされた基地局装置１００の構成を示すブロック図である。図５において、図２と同じ部分には同じ符号を付し、その説明を省略する。図５に示す基地局装置１００は、ＤＵに相当する無線装置１２０が物理層処理部１２１及び機能情報生成部１２２に加えて、ＲＬＣ処理部１２５及びＭＡＣ処理部１２６を有する構成を採る。
【００３９】
ＲＬＣ処理部１２５は、例えば再送制御などのＲＬＣ層の処理を実行する。すなわち、ＲＬＣ処理部１２５は、無線制御装置１１０のＰＤＣＰ処理部１１１から送信信号を取得し、送信信号に対してＲＬＣ層の処理を実行する。また、ＲＬＣ処理部１２５は、ＭＡＣ処理部１２６から受信信号を取得し、受信信号に対してＲＬＣ層の処理を実行する。
【００４０】
ＭＡＣ処理部１２６は、例えばスケジューリング及び再送制御などのＭＡＣ層の処理を実行する。すなわち、ＭＡＣ処理部１２６は、ＲＬＣ処理部１２５から送信信号を取得し、送信信号に対してＭＡＣ層の処理を実行する。また、ＭＡＣ処理部１２６は、物理層処理部１２１から受信信号を取得し、受信信号に対してＭＡＣ層の処理を実行する。
【００４１】
このように、図５においては、基地局装置１００がＨＬＳによる機能分離をしている。換言すれば、ＩＦ制御部１１５は、無線制御装置１１０のＰＤＣＰ処理部１１１と無線装置１２０のＲＬＣ処理部１２５とを接続するインタフェースを設定している。
【００４２】
図６は、実施の形態１に係るＵＥ２００の構成を示すブロック図である。図６に示すＵＥ２００は、プロセッサ２１０、メモリ２２０及び無線送受信部２３０を有する。
【００４３】
プロセッサ２１０は、例えばＣＰＵ（Central  Processing  Unit）、ＦＰＧＡ（Field  Programmable  Gate  Array）又はＤＳＰ（Digital  Signal  Processor）などを備え、ＵＥ２００全体を統括制御する。具体的には、プロセッサ２１０は、通信制御部２１１、ランダムアクセス処理部（以下「ＲＡ処理部」と略記する）２１２及びセッション要求生成部２１３を有する。
【００４４】
通信制御部２１１は、例えば通信が発生するアプリケーションを実行し、送信信号を生成したり、受信信号を復号したりする。すなわち、通信制御部２１１は、送信信号を生成して無線送受信部２３０へ出力し、無線送受信部２３０から受信信号を取得して復号する。
【００４５】
ＲＡ処理部２１２は、通信制御部２１１が通信を開始することを決定した場合に、基地局装置１００との間で接続を確立するランダムアクセス処理を実行する。具体的には、ＲＡ処理部２１２は、ランダムに選択したプリアンブルの送信を含むメッセージのやり取りを基地局装置１００との間で実行し、ＵＥ２００と基地局装置１００の間の接続を確立する。
【００４６】
セッション要求生成部２１３は、アプリケーションの実行などにより通信制御部２１１がサービスの開始を要求する場合に、サービスに対応するセッションの設定を要求するセッション要求を生成する。具体的には、セッション要求生成部２１３は、サービスに応じて要求されるＱｏＳ（Quality  of  Service）などのサービス品質や通信条件の情報を含むセッション要求を生成する。
【００４７】
メモリ２２０は、例えばＲＡＭ（Random  Access  Memory）又はＲＯＭ（Read  Only  Memory）などを備え、プロセッサ２１０によって処理が実行される際に、種々の情報を記憶する。
【００４８】
無線送受信部２３０は、送信信号に対して所定の無線送信処理を施し、アンテナを介して送信する。また、無線送受信部２３０は、アンテナを介して信号を受信し、受信信号に対して所定の無線受信処理を施す。具体的には、無線送受信部２３０は、通信制御部２１１によって生成された送信信号を送信し、基地局装置１００から受信した受信信号を通信制御部２１１へ出力する。また、無線送受信部２３０は、ＲＡ処理部２１２によって生成されたランダムアクセス処理に関するメッセージを送信し、ランダムアクセス処理に関するメッセージをＲＡ処理部２１２へ出力する。さらに、無線送受信部２３０は、セッション要求生成部２１３によって生成されたセッション要求を送信する。
【００４９】
次いで、実施の形態１に係るインタフェース設定方法について、図７に示すシーケンス図を参照しながら説明する。
【００５０】
無線装置１２０の機能情報生成部１２２は、例えば無線制御装置１１０から要求された場合や、無線装置１２０の起動時などの所定のタイミングで、無線装置１２０の機能を示す機能情報を生成し、無線制御装置１１０へ送信する（ステップＳ１０１）。機能情報は、無線制御装置１１０の機能情報取得部１１４によって取得され、無線装置１２０の機能に関する情報がＩＦ制御部１１５へ通知される。
【００５１】
そして、ＩＦ制御部１１５によって、無線装置１２０の機能に応じた初期のインタフェースが無線制御装置１１０と無線装置１２０の間に設定される（ステップＳ１０２）。具体的には、例えば無線装置１２０がＨＬＳに対応していることが機能情報から判明した場合には、無線制御装置１１０のＰＤＣＰ処理部１１１と無線装置１２０のＲＬＣ処理部１２５との間に初期インタフェースが設定される。また、例えば無線装置１２０がＬＬＳに対応していることが機能情報から判明した場合には、無線制御装置１１０のＭＡＣ処理部１１３と無線装置１２０の物理層処理部１２１との間に初期インタフェースが設定される。当然ながら、初期インタフェースは、ＣＰＲＩであっても良い。
【００５２】
このように、無線装置１２０の機能に応じて、無線制御装置１１０と無線装置１２０の間に初期インタフェースが設定されることにより、基地局装置１００が暫定的に機能分離されたことになる。その後、ＵＥ２００が基地局装置１００との通信開始を希望する場合には、ＵＥ２００のＲＡ処理部２１２からランダムアクセス処理に係るプリアンブルが送信され、ＵＥ２００と基地局装置１００の間でランダムアクセス処理が実行される（ステップＳ１０３）。ランダムアクセス処理によって、ＵＥ２００と基地局装置１００の間の接続が確立される。
【００５３】
そして、ＵＥ２００の通信制御部２１１によって特定のサービスに関するセッションの開始が要求される場合、セッション要求生成部２１３によって、要求されるサービス品質や通信条件の情報を含むセッション要求が生成され、無線送受信部２３０から送信される。送信されたセッション要求は、無線装置１２０及び無線制御装置１１０を経由して、コアネットワークのＡＭＦ１２及びＳＭＦ１３へ転送される（ステップＳ１０４）。そして、ＡＭＦ１２及びＳＭＦ１３によって、ＵＰＦ１１との間で通信路のアドレスを共有する処理（ステップＳ１０５）や無線制御装置１１０に通信路のアドレスを通知してセッションを確立する処理（ステップＳ１０６）などが実行される。セッションが確立されると、その旨がＡＭＦ１２及びＳＭＦ１３からＵＰＦ１１へ通知される（ステップＳ１０７）。
【００５４】
一方、セッションが確立されると、無線制御装置１１０のＩＦ制御部１１５によって、確立されたセッションが提供するサービス品質や通信条件に基づいて、無線制御装置１１０と無線装置１２０の間のインタフェースが設定される（ステップＳ１０８）。すなわち、無線制御装置１１０と無線装置１２０の間に設定されている初期インタフェースが、要求されるサービス品質や通信条件を達成するのに適したインタフェースに変更される。例えば低遅延が要求されるサービスに対応するセッションが確立された場合には、無線制御装置１１０のＰＤＣＰ処理部１１１と無線装置１２０のＲＬＣ処理部１２５との間にインタフェースが設定され、再送制御を高速化することが可能なＨＬＳによる機能分離が実行される。
【００５５】
このとき、設定されるインタフェースは、機能情報によって無線装置１２０が対応可能であると判明しているインタフェースの中から選択される。また、インタフェースの設定にあたっては、無線制御装置１１０及び無線装置１２０の間で互いの識別情報が通知される。この識別情報としては、それぞれの装置に付与された識別子を用いることも可能であるし、それぞれの装置のＩＰ（Internet  Protocol）アドレスなどを用いることも可能である。
【００５６】
無線制御装置１１０と無線装置１２０の間のインタフェースが設定されると、その旨が無線装置１２０からＵＥ２００へ通知される（ステップＳ１０９）。この通知を受け、ＵＥ２００は、サービスに応じたユーザデータを無線装置１２０及び無線制御装置１１０を介して、ＵＰＦ１１との間で送受信する（ステップＳ１１０）。
【００５７】
以上のように、本実施の形態によれば、ＵＥからの要求に応じてサービスに対応するセッションが確立された際に、サービスにおいて要求されるサービス品質や通信条件を達成するためのインタフェースを無線制御装置と無線装置の間に設定する。このため、ＵＥが利用するサービスに応じたインタフェースを個別に設定することができ、無線制御装置と無線装置を接続する最適なインタフェースを設定することができる。
【００５８】
なお、上記実施の形態１においては、無線制御装置１１０のＭＡＣ処理部１１３と無線装置１２０の物理層処理部１２１との間にインタフェースが設定されるＬＬＳによる機能分離（図２）と、無線制御装置１１０のＰＤＣＰ処理部１１１と無線装置１２０のＲＬＣ処理部１２５との間にインタフェースが設定されるＨＬＳによる機能分離（図５）を例示した。しかしながら、無線制御装置１１０と無線装置１２０の間のインタフェースは、これらに限定されず、他の処理部間に設定されても良い。また、例えば図８に示すように、無線制御装置１１０に物理層内の上位層の処理を実行する物理層処理部１１７が設けられ、この物理層処理部１１７と無線装置１２０の物理層処理部１２１との間にインタフェースが設定されても良い。この場合、無線装置１２０の物理層処理部１２１は、物理層内の下位層の処理を実行する。
【００５９】
また、物理層に異なる分離点を設け、それぞれの分離点で無線制御装置１１０と無線装置１２０との接続が切り替えられるようにしても良い。すなわち、例えば図９に示すように、無線制御装置１１０の切替部１１６は、第１物理層処理部１１８と第２物理層処理部１１９との間に設けられる。第１物理層処理部１１８は、例えばＣＲＣ（Cyclic Redundancy Check）の付加、誤り検出、スクランブリング、デスクランブリング、誤り訂正符号化及び誤り訂正復号などの物理層の上位層の処理を実行する。一方、第２物理層処理部１１９は、例えば変調、復調、Ｄ／Ａ変換、Ａ／Ｄ変換、ＦＦＴ（Fast Fourier Transform）、ＩＦＦＴ（Inverse Fast Fourier Transform）、ＣＰ（Cyclic Prefix）の付加及び削除などの物理層の下位層の処理を実行する。
【００６０】
そして、切替部１１６は、第１物理層処理部１１８と無線装置１２０の間にインタフェースを設定するか、第２物理層処理部１１９と無線装置１２０の間にインタフェースを設定するかを切り替える。第１物理層処理部１１８と無線装置１２０の間にインタフェースが設定される場合は、無線装置１２０は、第２物理層処理部１１９に相当する処理を実行する。また、第２物理層処理部１１９と無線装置１２０の間にインタフェースが設定される場合は、無線装置１２０は、例えば信号の増幅などの処理を実行する。このように、物理層における分離点が異なる複数のＬＬＳを切り替えることも可能である。
【００６１】
さらに、上記実施の形態１においては、無線制御装置１１０のＩＦ制御部１１５がセッション確立後に設定するインタフェースを決定するものとしたが、インタフェースの決定は、コアネットワークのＡＭＦ１２又はＳＭＦ１３が実行することも可能である。図１０は、ＡＭＦ１２又はＳＭＦ１３がインタフェースを決定する場合のインタフェース設定方法を示すシーケンス図である。図１０において、図７と同じ部分には同じ符号を付す。
【００６２】
図１０に示すように、ＩＦ制御部１１５によって、無線装置１２０の機能に応じた初期インタフェースが無線制御装置１１０と無線装置１２０の間に設定される（ステップＳ１０２）と、初期インタフェースに関する情報がＡＭＦ１２及びＳＭＦ１３へ通知される（ステップＳ２０１）。この情報は、ＡＭＦ１２及びＳＭＦ１３によって保持される。
【００６３】
その後、ＵＥ２００からの要求に従ってセッションが確立された際には、ＡＭＦ１２又はＳＭＦ１３によって、無線制御装置１１０と無線装置１２０の間のインタフェースを初期インタフェースから変更する必要があるか否かが判定される（ステップＳ２０２）。すなわち、要求されるサービス品質や通信条件を達成するのに適したインタフェースが初期インタフェースと異なるか否かが判定され、判定結果が無線制御装置１１０へ通知される（ステップＳ２０３）。
【００６４】
そして、無線制御装置１１０のＩＦ制御部１１５によって、ＡＭＦ１２又はＳＭＦ１３から通知された判定結果に従って、無線制御装置１１０と無線装置１２０の間のインタフェースが設定される（ステップＳ２０４）。すなわち、無線制御装置１１０と無線装置１２０の間に設定されている初期インタフェースが、要求されるサービス品質や通信条件を達成するのに適したインタフェースに変更される。インタフェースが正しく設定された場合には、その旨が無線制御装置１１０からＡＭＦ１２及びＳＭＦ１３へ報告される（ステップＳ２０５）。
【００６５】
このように、無線制御装置１１０と無線装置１２０の間のインタフェースに関する情報をＡＭＦ１２又はＳＭＦ１３へ報告することにより、ＡＭＦ１２又はＳＭＦ１３において、セッション確立時にインタフェースを決定することも可能である。
【００６６】
（実施の形態２）
実施の形態２の特徴は、新たなセッションが追加される場合に、新たなセッションに対応するインタフェースを追加する点である。
【００６７】
実施の形態２に係る基地局装置の構成は、実施の形態１に係る基地局装置１００（図２、５、８、９）と同様であるため、その説明を省略する。実施の形態２においては、ＵＥ２００からの要求に従ってセッションが確立され、無線制御装置１１０と無線装置１２０の間にインタフェースが設定された後、ＵＥ２００が新たなセッションの設定を要求する。セッションは、サービスごとに確立されるため、１つのＵＥ２００が複数のセッションを用いてサービスを利用することも可能である。また、セッションを確立するコアネットワークには、サービス品質や通信条件が異なる個別のネットワークが形成されることがある。このネットワークは、「ネットワークスライス」又は単に「スライス」とも呼ばれ、それぞれのネットワークスライスに、ＵＰＦ、ＡＭＦ及びＳＭＦなどが配置される。
【００６８】
以下、図１１を参照しながら、実施の形態２に係るインタフェース設定方法について説明する。以下においては、ＵＰＦ１１、ＡＭＦ１２及びＳＭＦ１３が配置されたネットワークスライス（以下「第１ネットワークスライス」という）でのセッションが確立された後、ＵＰＦ１１、ＡＭＦ１２及びＳＭＦ１３とは異なるＵＰＦ２１、ＡＭＦ２２及びＳＭＦ２３が配置されたネットワークスライス（以下「第２ネットワークスライス」という）でのセッションが追加される場合について説明する。第１ネットワークスライスでのセッション確立（ステップＳ１０１〜Ｓ１１０）は、実施の形態１と同様であるため、その説明を省略する。
【００６９】
第１ネットワークスライスでのセッションが確立され、このセッションによってＵＥ２００がサービスを利用する間、ＵＥ２００は、他のサービスの追加を希望することがある。このような場合、ＵＥ２００のセッション要求生成部２１３によって、要求されるサービス品質や通信条件の情報を含むセッション要求が生成され、無線送受信部２３０から送信される。送信されたセッション要求は、無線装置１２０及び無線制御装置１１０を経由して、追加されるサービスに応じた第２ネットワークスライスのＡＭＦ２２及びＳＭＦ２３へ転送される（ステップＳ３０１）。そして、ＡＭＦ２２及びＳＭＦ２３によって、ＵＰＦ２１との間で通信路のアドレスを共有する処理（ステップＳ３０２）や無線制御装置１１０に通信路のアドレスを通知してセッションを確立する処理（ステップＳ３０３）などが実行される。セッションが確立されると、その旨がＡＭＦ２２及びＳＭＦ２３からＵＰＦ２１へ通知される（ステップＳ３０４）。
【００７０】
一方、セッションが確立されると、無線制御装置１１０のＩＦ制御部１１５によって、確立されたセッションが提供するサービス品質や通信条件に基づいて、無線制御装置１１０と無線装置１２０の間のインタフェースが設定される（ステップＳ３０５）。すなわち、追加されるサービスによって要求されるサービス品質や通信条件を達成するのに適したインタフェースが新たに設定される。
【００７１】
このとき、設定されるインタフェースは、機能情報によって無線装置１２０が対応可能であると判明しているインタフェースの中から選択される。また、第１ネットワークスライスで確立されたセッションのためのインタフェースは残したまま、新たにインタフェースが追加される。インタフェースの追加にあたっては、無線制御装置１１０及び無線装置１２０の間で互いの識別情報が通知される。この識別情報としては、それぞれの装置に付与された識別子を用いることも可能であるし、それぞれの装置のＩＰアドレスなどを用いることも可能である。
【００７２】
このように、第１ネットワークスライスのセッションを継続したまま、第２ネットワークスライスのセッションが確立されるため、ＵＥ２００は、サービスに応じたユーザデータをＵＰＦ１１との間で送受信するとともに（ステップＳ３０６）、ＵＰＦ２１との間でも送受信する（ステップＳ３０７）。
【００７３】
以上のように、本実施の形態によれば、新たなサービスのためのセッションを追加する場合に、確立済みのセッションにおける無線制御装置と無線装置の間のインタフェースを残したまま、新たにインタフェースを追加する。このため、ＵＥが複数のサービスを同時に利用することができる。
【００７４】
なお、上記実施の形態２においては、同一の無線制御装置１１０と無線装置１２０の間でインタフェースが追加される場合について説明したが、追加されるインタフェースは、無線制御装置１１０と他の無線装置の間や、他の無線制御装置と無線装置１２０の間に設定されても良い。追加されたインタフェースに対応する無線リソースは、確立済みのセッションにおいて使用される無線リソースと同一でも異なっていても良い。ここで、無線リソースとは、周波数帯域や時間のことを指し、サブキャリア、複数のサブキャリアを含むサブバンド又はサブキャリアブロックなどを含む。
【００７５】
（実施の形態３）
実施の形態３の特徴は、無線制御装置と無線装置に機能分離されずに稼働する基地局装置を、必要に応じて無線制御装置又は無線装置に変更し、外部の無線制御装置又は無線装置に接続する点である。
【００７６】
図１２は、実施の形態３に係る基地局装置１００の構成を示すブロック図である。図１２に示す基地局装置１００は、ＰＤＣＰ処理部３０１、接続部３０２、ＲＬＣ処理部３０３、ＭＡＣ処理部３０４、接続部３０５、物理層処理部３０６及びＩＦ制御部３０７を有する。図１２に示す基地局装置１００は、無線制御装置及び無線装置に機能分離されておらず、上位レイヤから下位レイヤまでの処理を実行して信号を無線送受信する。
【００７７】
ＰＤＣＰ処理部３０１は、例えばデータの順序整列やヘッダ圧縮などのＰＤＣＰ層の処理を実行する。すなわち、ＰＤＣＰ処理部３０１は、ＵＰＦ１１又はＡＭＦ１２から取得した送信信号に対してＰＤＣＰ層の処理を実行し、接続部３０２を介して送信信号をＲＬＣ処理部３０３へ出力する。また、ＰＤＣＰ処理部３０１は、ＲＬＣ処理部３０３から接続部３０２を介して受信信号を取得し、受信信号に対してＰＤＣＰ層の処理を実行する。
【００７８】
接続部３０２は、外部の無線制御装置１１０又は無線装置１２０と接続する。そして、接続部３０２は、ＩＦ制御部３０７による制御に従って、ＰＤＣＰ処理部３０１を外部の無線装置１２０に接続するインタフェースを設定したり、外部の無線制御装置１１０をＲＬＣ処理部３０３に接続するインタフェースを設定したりする。
【００７９】
ＲＬＣ処理部３０３は、例えば再送制御などのＲＬＣ層の処理を実行する。すなわち、ＲＬＣ処理部３０３は、ＰＤＣＰ処理部３０１から接続部３０２を介して送信信号を取得し、送信信号に対してＲＬＣ層の処理を実行する。また、ＲＬＣ処理部３０３は、ＭＡＣ処理部３０４から受信信号を取得し、受信信号に対してＲＬＣ層の処理を実行する。
【００８０】
ＭＡＣ処理部３０４は、例えばスケジューリング及び再送制御などのＭＡＣ層の処理を実行する。すなわち、ＭＡＣ処理部３０４は、ＲＬＣ処理部３０３から送信信号を取得し、送信信号に対してＭＡＣ層の処理を実行する。また、ＭＡＣ処理部３０４は、物理層処理部３０６から接続部３０５を介して受信信号を取得し、受信信号に対してＭＡＣ層の処理を実行する。
【００８１】
接続部３０５は、外部の無線制御装置１１０又は無線装置１２０と接続する。そして、接続部３０５は、ＩＦ制御部３０７による制御に従って、ＭＡＣ処理部３０４を外部の無線装置１２０に接続するインタフェースを設定したり、外部の無線制御装置１１０を物理層処理部３０６に接続するインタフェースを設定したりする。
【００８２】
物理層処理部３０６は、例えば信号のＤ／Ａ変換及びＡ／Ｄ変換や増幅などの物理層の処理を実行する。すなわち、物理層処理部３０６は、ＭＡＣ処理部３０４から接続部３０５を介して送信信号を取得し、送信信号に対して物理層の処理を実行し、アンテナを介してＵＥ２００へ送信する。また、物理層処理部３０６は、ＵＥ２００から送信された信号をアンテナを介して受信し、受信信号に対して物理層の処理を実行する。
【００８３】
ＩＦ制御部３０７は、基地局装置１００の機能分離をするか否かを判定し、機能分離をする場合には、外部の無線制御装置１１０又は無線装置１２０と基地局装置１００との間のインタフェースを制御する。具体的には、ＩＦ制御部３０７は、例えば基地局装置１００における処理負荷に基づいて、機能分離を実行するか否かを判定する。すなわち、例えば基地局装置１００の処理負荷が所定基準よりも大きい場合に、ＩＦ制御部３０７は、基地局装置１００を無線装置に変更し、外部の無線制御装置１１０に接続することを決定する。そして、ＩＦ制御部３０７は、外部の無線制御装置１１０とＲＬＣ処理部３０３又は物理層処理部３０６とを接続するインタフェースを設定する。
【００８４】
また、例えば外部の無線装置１２０から要求された場合に、ＩＦ制御部３０７は、基地局装置１００を無線制御装置に変更し、外部の無線装置１２０に接続することを決定する。そして、ＩＦ制御部３０７は、外部の無線装置１２０とＰＤＣＰ処理部３０１又はＭＡＣ処理部３０４とを接続するインタフェースを設定する。
【００８５】
ＩＦ制御部３０７によるインタフェースの設定は、接続部３０２又は接続部３０５における接続先を設定することによって実行される。
【００８６】
図１３は、実施の形態３に係る基地局装置１００の他の構成を示すブロック図である。図１３において、図１２と同じ部分には同じ符号を付し、その説明を省略する。図１３に示す基地局装置１００は、図１２に示す基地局装置１００の接続部３０２及び物理層処理部３０６に代えて、接続部３０９、第１物理層処理部３０８及び第２物理層処理部３１０を有する。図１３に示す基地局装置１００は、無線制御装置及び無線装置に機能分離されておらず、上位レイヤから下位レイヤまでの処理を実行して信号を無線送受信する。
【００８７】
第１物理層処理部３０８は、例えばＣＲＣの付加、誤り検出、スクランブリング、デスクランブリング、誤り訂正符号化及び誤り訂正復号などの物理層の上位層の処理を実行する。すなわち、第１物理層処理部３０８は、ＭＡＣ処理部３０４から接続部３０５を介して送信信号を取得し、送信信号に対して物理層の上位層の処理を実行する。また、第１物理層処理部３０８は、第２物理層処理部３１０から接続部３０９を介して受信信号を取得し、受信信号に対して物理層の下位層の処理を実行する。
【００８８】
接続部３０９は、外部の無線制御装置１１０又は無線装置１２０と接続する。そして、接続部３０９は、ＩＦ制御部３０７による制御に従って、第１物理層処理部３０８を外部の無線装置１２０に接続するインタフェースを設定したり、外部の無線制御装置１１０を第２物理層処理部３１０に接続するインタフェースを設定したりする。
【００８９】
第２物理層処理部３１０は、例えば変調、復調、Ｄ／Ａ変換、Ａ／Ｄ変換、ＦＦＴ、ＩＦＦＴ、ＣＰの付加及び削除などの物理層の下位層の処理を実行する。すなわち、第２物理層処理部３１０は、第１物理層処理部３０８から接続部３０９を介して送信信号を取得し、送信信号に対して物理層の下位層の処理を実行し、アンテナを介してＵＥ２００へ送信する。また、第２物理層処理部３１０は、ＵＥ２００から送信された信号をアンテナを介して受信し、受信信号に対して物理層の下位層の処理を実行する。
【００９０】
次いで、実施の形態３に係るインタフェース設定方法について、図１４に示すシーケンス図を参照しながら説明する。図１４において、図７と同じ部分には同じ符号を付す。以下の説明においては、図１２に示した基地局装置１００におけるインタフェース設定方法について説明するが、図１３に示した基地局装置１００においても同様のインタフェース設定方法によってインタフェースを設定することが可能である。
【００９１】
ＵＥ２００が基地局装置１００との通信開始を希望する場合には、ＵＥ２００のＲＡ処理部２１２からランダムアクセス処理に係るプリアンブルが送信され、ＵＥ２００と基地局装置１００の間でランダムアクセス処理が実行される（ステップＳ１０３）。ランダムアクセス処理によって、ＵＥ２００と基地局装置１００の間の接続が確立される。
【００９２】
そして、ＵＥ２００の通信制御部２１１によって特定のサービスに関するセッションの開始が要求される場合、セッション要求生成部２１３によって、要求されるサービス品質や通信条件の情報を含むセッション要求が生成され、無線送受信部２３０から送信される。送信されたセッション要求は、無線装置１２０及び無線制御装置１１０を経由して、コアネットワークのＡＭＦ１２及びＳＭＦ１３へ転送される（ステップＳ１０４）。そして、ＡＭＦ１２及びＳＭＦ１３によって、ＵＰＦ１１との間で通信路のアドレスを共有する処理（ステップＳ１０５）や無線制御装置１１０に通信路のアドレスを通知してセッションを確立する処理（ステップＳ１０６）などが実行される。セッションが確立されると、その旨がＡＭＦ１２及びＳＭＦ１３からＵＰＦ１１へ通知される（ステップＳ１０７）。
【００９３】
一方、ＩＦ制御部３０７においては、基地局装置１００の状態が監視されており、例えば基地局装置１００の処理負荷や外部の装置からの要求などに基づいて、基地局装置１００の機能分離を実行するか否かが判定される（ステップＳ４０１）。この判定の結果、機能分離を実行しないと判定された場合には、ＰＤＣＰ処理部３０１、ＲＬＣ処理部３０３、ＭＡＣ処理部３０４及び物理層処理部３０６による処理が実行され、基地局装置１００を介してＵＥ２００とＵＰＦ１１の間でユーザデータが転送される。また、機能分離を実行すると判定された場合には、基地局装置１００が無線制御装置又は無線装置に変更され、外部の無線制御装置又は無線装置と接続するインタフェースが設定される。ここでは、基地局装置１００が無線装置に変更されるものとして説明を続ける。
【００９４】
ＩＦ制御部３０７によって、基地局装置１００を無線装置に変更すると判定された場合には、基地局装置１００と外部の無線制御装置１１０との間のインタフェースが設定される（ステップＳ４０２）。すなわち、確立されたセッションに対応するサービスにおいて要求されるサービス品質や通信条件を達成するのに適したインタフェースが設定される。例えば低遅延が要求されるサービスに対応するセッションが確立された場合には、接続部３０２の接続先が変更されることにより、基地局装置１００のＲＬＣ処理部３０３と外部の無線制御装置１１０との間にインタフェースが設定され、再送制御を高速化することが可能なＨＬＳによる機能分離が実行される。また、ＬＬＳによる機能分離が実行される場合には、接続部３０５の接続先が変更されることにより、基地局装置１００の物理層処理部３０６と外部の無線制御装置１１０との間にインタフェースが設定される。
【００９５】
なお、基地局装置１００が無線制御装置に変更される場合には、接続部３０２の接続先が変更されることにより、ＰＤＣＰ処理部３０１と外部の無線装置１２０との間にインタフェースが設定されたり、接続部３０５の接続先が変更されることにより、ＭＡＣ処理部３０４と外部の無線装置１２０との間にインタフェースが設定されたりする。
【００９６】
基地局装置１００と外部の無線制御装置１１０との間のインタフェースが設定されると、その旨が基地局装置１００からＵＥ２００へ通知される（ステップＳ１０９）。この通知を受け、ＵＥ２００は、サービスに応じたユーザデータを基地局装置１００及び無線制御装置１１０を介して、ＵＰＦ１１との間で送受信する（ステップＳ１１０）。
【００９７】
以上のように、本実施の形態によれば、機能分離されていない基地局装置が無線制御装置又は無線装置に変更される場合に、基地局装置と外部の無線制御装置又は無線装置との間にインタフェースを設定する。このため、初期状態では機能分離されていない基地局装置を用いて機能分離された基地局装置を形成することができる。
【００９８】
なお、上記実施の形態３においては、基地局装置１００が外部の無線制御装置１１０又は無線装置１２０と接続されるものとしたが、基地局装置１００の内部において機能分離をすることも可能である。この場合、ＩＦ制御部３０７は、基地局装置１００の内部の処理部間に、セッションにおいて要求されるサービス品質や通信条件に適したインタフェースを設定すれば良い。
【００９９】
（実施の形態４）
実施の形態４の特徴は、無線制御装置がコントロールプレーン（Ｃプレーン）とユーザプレーン（Ｕプレーン）に分離された場合にインタフェースを設定する点である。
【０１００】
図１５は、実施の形態４に係る基地局装置１００の構成を示すブロック図である。図１５において、図２と同じ部分には同じ符号を付し、その説明を省略する。図１５に示す基地局装置１００は、図２に示す基地局装置１００にＵプレーン処理部１３０を追加し、ＩＦ制御部１１５をＩＦ制御部４０１に代えた構成を採る。
【０１０１】
実施の形態４においては、無線制御装置１１０は、Ｃプレーンの処理を実行する。したがって、ＰＤＣＰ処理部１１１は、Ｃプレーンを制御するＡＭＦ１２に接続され、ＰＤＣＰ処理部１１１、ＲＬＣ処理部１１２及びＭＡＣ処理部１１３は、Ｃプレーンの送信信号及び受信信号に対して処理を施す。
【０１０２】
Ｕプレーン処理部１３０は、Ｕプレーンを制御するＵＰＦ１１に接続され、Ｕプレーンの処理を実行する。Ｕプレーン処理部１３０は、図示を省略したＰＤＣＰ処理部、ＲＬＣ処理部及びＭＡＣ処理部を有していても良く、さらにＳＤＡＰ処理部を有していても良い。無線制御装置１１０とＵプレーン処理部１３０の間にはＣ／Ｕインタフェースが設定されており、Ｃプレーンの無線制御装置１１０とＵプレーン処理部１３０とが全体としてＣＵ（Central  Unit）に相当する。
【０１０３】
ＩＦ制御部４０１は、無線制御装置１１０と無線装置１２０の間のインタフェース、Ｕプレーン処理部１３０と無線装置１２０の間のインタフェース、及び無線制御装置１１０とＵプレーン処理部１３０の間のインタフェース（以下「Ｃ／Ｕ間インタフェース」という）を制御する。具体的には、ＩＦ制御部４０１は、ＵＥ２００からのセッション設定要求に応じて、サービスに対応するセッションが設定される際に、各インタフェースを設定する。
【０１０４】
このとき、ＩＦ制御部４０１は、設定されるセッションにおいて要求されるサービス品質や通信条件に適したインタフェースを設定する。すなわち、ＩＦ制御部４０１は、設定されるセッションにＨＬＳが適している場合には、無線制御装置１１０のＰＤＣＰ処理部１１１と無線装置１２０を接続するインタフェースを設定するとともに、Ｕプレーン処理部１３０のＰＤＣＰ処理部と無線装置１２０を接続するインタフェースを設定する。また、ＩＦ制御部４０１は、無線制御装置１１０とＵプレーン処理部１３０の間にＣ／Ｕ間インタフェースを設定する。
【０１０５】
一方、ＩＦ制御部４０１は、設定されるセッションにＬＬＳが適している場合には、無線制御装置１１０のＭＡＣ処理部１１３と無線装置１２０を接続するインタフェースを設定するとともに、Ｕプレーン処理部１３０のＭＡＣ処理部と無線装置１２０を接続するインタフェースを設定する。また、ＩＦ制御部４０１は、無線制御装置１１０とＵプレーン処理部１３０の間にＣ／Ｕ間インタフェースを設定する。
【０１０６】
次いで、実施の形態４に係るインタフェース設定方法について、図１６に示すシーケンス図を参照しながら説明する。図１６において、図７と同じ部分には同じ符号を付す。
【０１０７】
無線装置１２０の機能情報生成部１２２は、例えば無線制御装置１１０から要求された場合や、無線装置１２０の起動時などの所定のタイミングで、無線装置１２０の機能を示す機能情報を生成し、無線制御装置１１０へ送信する（ステップＳ１０１）。機能情報は、無線制御装置１１０の機能情報取得部１１４によって取得され、無線装置１２０の機能に関する情報がＩＦ制御部４０１へ通知される。
【０１０８】
そして、ＩＦ制御部４０１によって、無線装置１２０の機能に応じた初期のインタフェースが無線制御装置１１０と無線装置１２０の間及びＵプレーン処理部１３０と無線装置１２０の間に設定される（ステップＳ５０１）。具体的には、例えば無線装置１２０がＨＬＳに対応していることが機能情報から判明した場合には、無線制御装置１１０のＰＤＣＰ処理部１１１と無線装置１２０の間に初期インタフェースが設定されるとともに、Ｕプレーン処理部１３０のＰＤＣＰ処理部と無線装置１２０の間に初期インタフェースが設定される。また、例えば無線装置１２０がＬＬＳに対応していることが機能情報から判明した場合には、無線制御装置１１０のＭＡＣ処理部１１３と無線装置１２０の間に初期インタフェースが設定されるとともに、Ｕプレーン処理部１３０のＭＡＣ処理部と無線装置１２０の間に初期インタフェースが設定される。また、これらのＣＵとＤＵの間のインタフェースの設定と同時に、無線制御装置１１０とＵプレーン処理部１３０の間のＣ／Ｕ間インタフェースが設定される。
【０１０９】
このように、無線装置１２０の機能に応じて、無線制御装置１１０と無線装置１２０の間、及びＵプレーン処理部１３０と無線装置１２０の間に初期インタフェースが設定されることにより、基地局装置１００が暫定的に機能分離されたことになる。その後、ＵＥ２００が基地局装置１００との通信開始を希望する場合には、ＵＥ２００のＲＡ処理部２１２からランダムアクセス処理に係るプリアンブルが送信され、ＵＥ２００と基地局装置１００の間でランダムアクセス処理が実行される（ステップＳ１０３）。ランダムアクセス処理によって、ＵＥ２００と基地局装置１００の間の接続が確立される。
【０１１０】
そして、ＵＥ２００の通信制御部２１１によって特定のサービスに関するセッションの開始が要求される場合、セッション要求生成部２１３によって、要求されるサービス品質や通信条件の情報を含むセッション要求が生成され、無線送受信部２３０から送信される。送信されたセッション要求は、無線装置１２０及び無線制御装置１１０を経由して、コアネットワークのＡＭＦ１２及びＳＭＦ１３へ転送される（ステップＳ１０４）。そして、ＡＭＦ１２及びＳＭＦ１３によって、ＵＰＦ１１との間で通信路のアドレスを共有する処理（ステップＳ１０５）や無線制御装置１１０に通信路のアドレスを通知してセッションを確立する処理（ステップＳ１０６）などが実行される。セッションが確立されると、その旨がＡＭＦ１２及びＳＭＦ１３からＵＰＦ１１へ通知される（ステップＳ１０７）。
【０１１１】
一方、セッションが確立されると、無線制御装置１１０のＩＦ制御部４０１によって、確立されたセッションが提供するサービス品質や通信条件に基づいて、無線制御装置１１０と無線装置１２０の間、及びＵプレーン処理部１３０と無線装置１２０の間のインタフェースが設定される（ステップＳ５０２）。すなわち、無線制御装置１１０と無線装置１２０の間に設定されている初期インタフェースが、要求されるサービス品質や通信条件を達成するのに適したインタフェースに変更される。また、Ｕプレーン処理部１３０と無線装置の間に設定されている初期インタフェースが、要求されるサービス品質や通信条件を達成するのに適したインタフェースに変更される。
【０１１２】
例えば低遅延が要求されるサービスに対応するセッションが確立された場合には、無線制御装置１１０のＰＤＣＰ処理部１１１と無線装置１２０の間にインタフェースが設定され、Ｕプレーン処理部１３０のＰＤＣＰ処理部と無線装置１２０の間にインタフェースが設定され、再送制御を高速化することが可能なＨＬＳによる機能分離が実行される。
【０１１３】
このとき、設定されるインタフェースは、機能情報によって無線装置１２０が対応可能であると判明しているインタフェースの中から選択される。また、必要に応じて、無線制御装置１１０とＵプレーン処理部１３０の間のＣ／Ｕ間インタフェースも変更される。インタフェースの設定及び変更にあたっては、無線制御装置１１０、無線装置１２０及びＵプレーン処理部１３０の間で互いの識別情報が通知される。この識別情報としては、それぞれの装置又は処理部に付与された識別子を用いることも可能であるし、それぞれの装置又は処理部のＩＰアドレスなどを用いることも可能である。
【０１１４】
各インタフェースが設定されると、その旨が無線装置１２０からＵＥ２００へ通知される（ステップＳ１０９）。この通知を受け、ＵＥ２００は、サービスに応じたユーザデータを無線装置１２０及びＵプレーン処理部１３０を介して、ＵＰＦ１１との間で送受信する（ステップＳ１１０）。
【０１１５】
以上のように、本実施の形態によれば、サービスにおいて要求されるサービス品質や通信条件を達成するためのインタフェースを、Ｃプレーンを管理する無線制御装置と無線装置の間、及びＵプレーン処理部と無線装置の間に設定する。また、無線制御装置とＵプレーン処理部の間にＣ／Ｕ間インタフェースを設定する。このため、ＣＵがＣプレーンとＵプレーンに分離される場合でも、ＵＥが利用するサービスに応じたインタフェースを個別に設定することができ、ＣＵとＤＵを接続する最適なインタフェースを設定することができる。
【０１１６】
なお、上記実施の形態４においては、ＣＵがＣプレーンとＵプレーンに分離される場合について説明したが、ＤＵをＣプレーンとＵプレーンに分離することも可能である。この場合でも、無線制御装置１１０とＤＵのＣプレーン及びＵプレーンとの間にサービスに応じたインタフェースを個別に設定することができる。
【０１１７】
また、上記実施の形態４においては、あらかじめＣプレーンを管理する無線制御装置１１０とＵプレーン処理部１３０とに分離されていることとして説明したが、ＣプレーンとＵプレーンの分離は、基地局装置１００の稼働中に実行されても良い。この場合には、ＣプレーンとＵプレーンが分離された際にＣ／Ｕ間インタフェースが設定され、Ｃプレーンを管理する無線制御装置１１０と無線装置１２０の間及びＵプレーン処理部１３０と無線装置１２０の間のインタフェースが設定される。
【０１１８】
上記各実施の形態においては、無線制御装置１１０と無線装置１２０の間のインタフェースが設定された後、信号の伝送遅延や往復遅延時間（ＲＴＴ：Round  Trip  Time）などが監視され、必要に応じてインタフェースが再設定されるようにしても良い。具体的には、無線制御装置１１０又は無線装置１２０のＭＡＣ処理部によって伝送遅延やＲＴＴが監視され、伝送遅延やＲＴＴがサービスに応じた所定基準を満たさない場合には、無線制御装置１１０と無線装置１２０の間のインタフェースが再設定される。また、伝送遅延とインタフェースの設定に関する情報とを対応付けて記憶するテーブルを生成し、次回以降のインタフェース設定の際には、テーブルを参照して希望の伝送遅延に対応する方法でインタフェースが設定されるようにしても良い。
【０１１９】
上記各実施の形態は、適宜組み合わせて実施することも可能である。例えば実施の形態２と実施の形態４を組み合わせて、ＣＵがＣプレーンとＵプレーンに分離されている場合に、追加されるセッションに応じてインタフェースを追加することが可能である。また、例えば実施の形態３と実施の形態４を組み合わせて、基地局装置がＣプレーンとＵプレーンに分離されている場合に、さらにＣＵとＤＵへの機能分離を実行してＣＵとＤＵの間のインタフェースを設定することが可能である。
【符号の説明】
【０１２０】
１１１、３０１  ＰＤＣＰ処理部
１１２、１２５、３０３  ＲＬＣ処理部
１１３、１２６、３０４  ＭＡＣ処理部
１１４  機能情報取得部
１１５、３０７、４０１  ＩＦ制御部
１１６  切替部
１１７、１２１、３０６  物理層処理部
１１８、３０８  第１物理層処理部
１１９、３１０  第２物理層処理部
１２２  機能情報生成部
１３０  Ｕプレーン処理部
２１０  プロセッサ
２１１  通信制御部
２１２  ＲＡ処理部
２１３  セッション要求生成部
２２０  メモリ
２３０  無線送受信部
３０２、３０５、３０９  接続部
【図１】
2019087395.tif 000003
【図２】
2019087395.tif 000004
【図３】
2019087395.tif 000005
【図４】
2019087395.tif 000006
【図５】
2019087395.tif 000007
【図６】
2019087395.tif 000008
【図７】
2019087395.tif 000009
【図８】
2019087395.tif 000010
【図９】
2019087395.tif 000011
【図１０】
2019087395.tif 000012
【図１１】
2019087395.tif 000013
【図１２】
2019087395.tif 000014
【図１３】
2019087395.tif 000015
【図１４】
2019087395.tif 000016
【図１５】
2019087395.tif 000017
【図１６】
2019087395.tif 000018
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
無線制御装置と無線装置とを備え、端末装置と通信する基地局装置であって、
前記無線装置は、
自装置の機能に関する機能情報を生成する生成部を有し、
前記無線制御装置は、
前記端末装置が要求するサービスに対応するセッションの確立を上位装置へ要求する要求部と、
前記生成部によって生成された機能情報を取得する取得部と、
前記取得部によって取得された機能情報に基づいて、又は、前記セッション確立後に前記サービスに要求されるサービス品質若しくは通信条件に基づいて、前記無線制御装置と前記無線装置との間の接続を制御する接続制御部とを有する
ことを特徴とする基地局装置。
【請求項２】
前記接続制御部は、
前記無線制御装置と前記無線装置との間の接続に関する情報を前記上位装置へ通知することを特徴とする請求項１記載の基地局装置。
【請求項３】
前記要求部は、
前記端末装置が他のサービスを利用する場合に、前記他のサービスに対応するセッションの確立を前記上位装置へ要求し、
前記接続制御部は、
前記他のサービスに対応するセッション確立時に、前記他のサービスに要求されるサービス品質又は通信条件に応じて、前記無線制御装置と前記無線装置との間の接続を追加する
ことを特徴とする請求項１記載の基地局装置。
【請求項４】
前記接続制御部は、
前記無線制御装置が制御情報を処理する第１の処理部とユーザデータを処理する第２の処理部とに分離している場合、前記第１の処理部と前記無線装置との間の接続、前記第２の処理部と前記無線装置との間の接続、及び前記第１の処理部と前記第２の処理部との間の接続を制御することを特徴とする請求項１記載の基地局装置。
【請求項５】
前記無線制御装置は、
第１のレイヤの処理を実行する第１レイヤ処理部と、
前記第１のレイヤよりも下位の第２のレイヤの処理を実行する第２レイヤ処理部とをさらに有し、
前記無線装置は、
前記第１のレイヤよりも下位の第３のレイヤの処理を実行する第３レイヤ処理部と、
前記第２のレイヤよりも下位の第４のレイヤの処理を実行する第４レイヤ処理部とを有し、
前記接続制御部は、
前記第１レイヤ処理部と前記第３レイヤ処理部とを接続するか、前記第２レイヤ処理部と前記第４レイヤ処理部とを接続するかを選択する
ことを特徴とする請求項１記載の基地局装置。
【請求項６】
サービスを利用する場合に、前記サービスに要求されるサービス品質又は通信条件を示すセッション要求を生成し、当該セッション要求を無線装置へ送信する生成部と、
前記無線装置と無線制御装置とを備える基地局装置であって、前記セッション要求に応じたセッション確立時に前記無線制御装置と前記無線装置との間の接続を制御する基地局装置との間でユーザデータを送受信する送受信部と
を有することを特徴とする端末装置。
【請求項７】
端末装置と、基地局装置と、上位装置とを有する無線通信システムであって、
前記基地局装置は、無線制御装置と無線装置とを備え、
前記無線装置は、
自装置の機能に関する機能情報を生成する生成部を有し、
前記無線制御装置は、
前記端末装置が要求するサービスに対応するセッションの確立を前記上位装置へ要求する要求部と、
前記生成部によって生成された機能情報を取得する取得部と、
前記取得部によって取得された機能情報に基づいて、又は、前記セッション確立後に前記サービスに要求されるサービス品質若しくは通信条件に基づいて、前記無線制御装置と前記無線装置との間の接続を制御する接続制御部とを有する
ことを特徴とする無線通信システム。
【請求項８】
無線制御装置と無線装置とを備える基地局装置の前記無線制御装置が実行する接続設定方法であって、
サービスを利用する端末装置から当該端末装置の機能に関する機能情報を取得し、
取得した機能情報に基づいて、前記無線制御装置と前記無線装置との間の接続を制御し、
前記端末装置の要求に従って、前記サービスに対応するセッションの確立を上位装置へ要求し、
セッション確立時に、前記サービスに要求されるサービス品質又は通信条件に応じて、前記無線制御装置と前記無線装置との間の接続を制御する
処理を有することを特徴とする接続設定方法。
【手続補正２】
【補正対象書類名】明細書
【補正対象項目名】００１２
【補正方法】変更
【補正の内容】
【００１２】
本願が開示する基地局装置は、１つの態様において、無線制御装置と無線装置とを備え、端末装置と通信する基地局装置であって、前記無線装置は、自装置の機能に関する機能情報を生成する生成部を有し、前記無線制御装置は、前記端末装置が要求するサービスに対応するセッションの確立を上位装置へ要求する要求部と、前記生成部によって生成された機能情報を取得する取得部と、前記取得部によって取得された機能情報に基づいて、又は、前記セッション確立後に前記サービスに要求されるサービス品質若しくは通信条件に基づいて、前記無線制御装置と前記無線装置との間の接続を制御する接続制御部とを有する。
【国際調査報告】
2019087395.tif 000019
2019087395.tif 000020
2019087395.tif 000021
2019087395.tif 000022